(57)【要約】【課題】扉側から貫通させたボルトを芯ずれを生じさせることなく、正確かつ容易に箱本体側のナットに挿入して施錠することができ、しかも水切り部を傷付けたり、塗装不良が発生したりすることのない電気機器収納用箱を提供する。【解決手段】箱本体１に扉２をねじ４によって固定する電気機器収納用箱である。箱本体１の開口部周縁に形成された水切り部５にナット９を遊動自在に保持させる。水切り部５の折返片７の一部に箱本体１の外側に向けた延出片１４を形成し、この延出片１４にナット９を誘導自在に保持させた構造とすることもできる。【選択図】図５
2010109210.tif 000002
【特許請求の範囲】
【請求項１】
箱本体に扉をねじによって固定した電気機器収納用箱であって、箱本体の開口部周縁に形成された立上片と折返片とから構成された水切り部に、前記ねじを受けるナットを遊動自在に保持させたことを特徴とする電気機器収納用箱。
【請求項２】
扉が施錠用のハンドルを備えたものであることを特徴とする請求項１に記載の電気機器収納用箱。
【請求項３】
折返片の一部に箱本体の外側に向けた延出片を形成し、この延出片にナットを保持させたことを特徴とする請求項１または２に記載の電気機器収納用箱。
【発明の詳細な説明】
【技術分野】
【０００１】
本発明は、箱本体に扉をねじ止めする構造の電気機器収納用箱に関するものである。
【背景技術】
【０００２】
電気機器収納用箱は箱本体と扉とからなるもので、扉はハンドルによって施錠される構造が一般的である。しかし用途によっては、扉をねじによって固定あるいは施錠する形式の電気機器収納用箱もあり、その一例が特許文献１に開示されている。
【０００３】
このようなねじ止め式の電気機器収納用箱においては、図１に示すように箱本体２１の開口部周縁に形成された水切り部２２にナット２３を直接溶接やねじ止めするか、あるいは特許文献１に示したように箱本体の開口部周縁にネジ孔付きの金具を取付けした構造や、金具にナットを溶接した構造が採用されていた。
【０００４】
施錠時には、ねじは扉を外側から貫通して箱本体２１に溶接やねじ止めされたナット２３に螺合されることとなる。しかし、箱本体２１が大きくなると扉が撓みやすくなり、ねじをナットに螺合させることが必ずしも容易ではなく、僅かでも芯ずれがあるとねじがナット２３に対して斜め差しされることによるねじ不良（ねじ山の破損や焼付きなど）が発生するおそれがあった。
【０００５】
上記の問題は、脱落防止ワッシャによって扉からねじが脱落しないように取り付けたものである場合には、扉のねじ挿入孔を十分に大きくすることによって解決することができる。しかしこの構造ではねじが扉に対してぐらつくので、扉を閉めるときにねじが斜めに傾いて水切り部を傷付けるおそれがあるうえ、ねじの先端を移動させてナット２３に正しく螺合される位置を探さねばならないため、締付けに手間がかかるという問題があった。
【０００６】
さらに、ナット２３を溶接すると溶接熱影響や皮膜の形成によって溶接後に行われる塗装の付着性が悪くなり、塗装がはがれ易くなったり、はがれた部分から錆が発生したりする問題があった。
【０００７】
また、セキュリティ効果を高めるためハンドルとねじで扉の施錠を行う電気機器収納用箱が考えられるが、このようなものではハンドルで扉を施錠してからねじで止める構造となる。ねじのみで扉の施錠を行う場合は、扉のねじ挿入孔と箱本体に取り付けられたナットとの距離は扉の閉動作に応じて狭くなるため、ねじをナットに螺合される位置に合わせることは比較的容易ではあるが、ハンドルとねじで施錠を行う場合は、最初にハンドルで扉を施錠してしまうために扉が完全に閉状態となり、次にねじで止める時にねじと箱本体に取り付けられたナットとが噛み込んでねじの螺合ができなくなるおそれや、ねじをナットに螺合される位置に合わせることが困難となり、芯ずれが発生するおそれがあった。
【特許文献１】特開２００４−１０３９３８号公報
【発明の開示】
【発明が解決しようとする課題】
【０００８】
本発明は上記した従来の問題点を解決し、扉側から貫通させたボルトを芯ずれを生じさせることなく、正確かつ容易に箱本体側のナットに挿入して施錠することができ、しかも水切り部を傷付けたり、塗装不良が発生したりすることのない電気機器収納用箱を提供することを目的とするものである。
【課題を解決するための手段】
【０００９】
上記の課題を解決するためになされた本発明は、箱本体に扉をねじによって固定した電気機器収納用箱であって、箱本体の開口部周縁に形成された立上片と折返片とから構成された水切り部に、前記ねじを受けるナットを遊動自在に保持させたことを特徴とするものである。なお請求項２に記載のように、扉が施錠用のハンドルを備えたものとすることができ、また請求項３に記載のように、折返片の一部に箱本体の外側に向けた延出片を形成し、この延出片にナットを保持させた構造とすることもできる。
【発明の効果】
【００１０】
本発明の電気機器収納用箱は、箱本体の開口部周縁に形成された立上片と折返片とから構成された水切り部にナットを遊動自在に保持させたものであるから、ねじの軸心とナットの軸心が多少ずれていても、ねじの先端によってナットは自動的にセンタリングされる。このため扉を閉じて単にねじを回転させるだけでねじによる扉の固定が可能であり、ねじの斜め差しの問題は生じない。また従来のようにナットを溶接する必要がないために溶接工程を削減できるうえ、溶接熱による塗装不良やそれに伴う錆の発生も防止することができる。
【発明を実施するための最良の形態】
【００１１】
以下に本発明の好ましい実施形態を示す。
図２は本発明の電気機器収納用箱の外観斜視図である。なおこの図２では床に置いた状態で図示されているが、垂直に立てた状態で設置されることとなるのが普通である。この図において、１は箱本体、２は図示しない蝶番によって箱本体１に取り付けられた扉である。この扉２は施錠装置が組み込まれた公知のハンドル３を備えており、通常の電気機器収納用箱はこのハンドル３のみによって施錠されるのであるが、本発明ではねじ孔４aをハンドル３上部と下部に2箇所設け、ねじ４によっても扉２は施錠されている。なお、図示するハンドル３はクランプ錠であり、図３（a）のようにハンドル部３aを施錠することにより、クランプ片３bが水切り部５の折返片７に係止し、図３（b）のようにハンドル部３aを開錠することによってクランプ片３b の係止が外れる構造となっている。ハンドル３はクランプ錠に限定されるものではなく平面ハンドル、キーハンドルなどを使用してもよいことはもちろんである。このような構造とすれば扉２を開くためには鍵と工具とが必要となり、セキュリティ効果を高めることができる。しかし本発明においてハンドル３は必須ではなく、ねじ４のみによる施錠を行う構造としてもよい。
【００１２】
図４は本発明の第１の実施形態を示す要部の斜視図である。この図において５は箱本体１の開口部周縁に形成された水切り部であり、扉２に対して水平な折曲片１７と、折曲片１７先端に形成した扉２方向に垂直な立上片６と、立上片６先端に形成された扉２に対して平行な折返片７とから構成されている。この水切り部５の折返片７の扉２のねじ孔４aと対向する場所にねじ受け用の角孔８が形成されており、この角孔８の下側（箱本体１側）にナット９が取り付けられている。このナット９はケージナットと呼ばれるケージ１０の内部にナット本体１１を収納した構造のもので、ナット本体１１の外径よりもケージ１０の内径を大きくしておくことによって、所定の範囲内でナット本体１１が遊動できるようになっている。図４ではケージ１０の先端を角孔８の内側から外側に伸ばしたうえで両端に折り返し、ケージナットを折返片７の下面に保持させている。
【００１３】
このようなナット９の取り付け位置は、扉２の裏面を受ける戸当たりブッシュ１２の近傍とすることが好ましい。戸当たりブッシュ１２は従来品と同様の樹脂製部材であり、これを設けることによって扉２と水切り部５との間隔を適正に保ち、ねじ４をナット９に螺合させた際にその周縁部分が撓むことを防止する。また図５に示すように、扉２を閉じたときに扉裏面の扉パッキン１３よりも外側に、これらのナット９及び戸当たりブッシュ１２を配置しておくことが好ましい。このような構造としておけば、扉パッキン１３と水切り部５の折返片７との密着によるシール効果が損なわれることはない。
【００１４】
上記したように、ナット９を遊動自在な構造としておけば、扉２を閉じてねじ４を挿入したときにねじ４の先端によってナット本体１１が自動的にセンタリングされる。このためにねじ４の斜め差しが発生するおそれはなく、正確かつ容易に扉２のねじ止めが可能となる。しかも従来のような溶接は不要であるから、溶接工程の削減によるコストダウンを図ることができるうえに、溶接熱に起因する塗装性の低下が発生することもない。
【００１５】
図６は本発明の第２の実施形態を示す斜視図である。この実施形態では、水切り部５の折返片７の一部に箱本体の外側に向けた延出片１４が一体的に形成されており、この延出片１４にナット９と戸当たりブッシュ１２とを保持させてある。この構造はねじ止め部を水切り部５の外側に配置しているので、水切り部５の本来のシール機能が損なわれにくい利点がある。
【００１６】
この延出片１４は当然ながら、扉２の２箇所に形成されている。また延出片１４が折返片７に接続される部分は傾斜面１５とし、ねじ４を締めたときに作用する外力に対する補強効果を得ている。なお、延出片１４は本発明の用途以外に、樹脂部材を被せることによりロッド棒により係止するハンドルの係止片として用いることもできる。
【００１７】
何れの実施形態においても、ナット９を遊動自在としたことによってねじ４の斜め差しの問題は生じない。また溶接工程を削減できるうえ、溶接熱による塗装不良やそれに伴う錆の発生も防止することができる。
【００１８】
なお、ねじ４は独立させたものとしても、あるいは図７に示すように脱落防止ワッシャ１５によって扉２から脱落しないように取り付けておいてもよい。この場合にもねじ４は傾動可能とする必要はないため、扉２を閉じたときに水切り部５を傷付けるおそれはない。
【図面の簡単な説明】
【００１９】
【図１】従来技術を示す斜視図である。
【図２】本発明の電気機器収納用箱の外観斜視図である。
【図３】（a）はクランプ錠施錠状態を示す側面図、(b)はクランプ錠開錠状態を示す側面図である。
【図４】本発明の第１の実施形態を示す要部の斜視図である。
【図５】扉を閉じた状態を示す一部切欠斜視図である。
【図６】本発明の第２の実施形態を示す斜視図である。
【図７】扉へのねじの取り付け状態を示す断面図である。
【符号の説明】
【００２０】
１  箱本体
２  扉
３  ハンドル
３ａ  ハンドル部
３ｂ  クランプ片
４  ねじ
４ａ  ねじ孔
５  水切り部
６  立上片
７  折返片
８  角孔
９  ナット
１０  ケージ
１１  ナット本体
１２  戸当たりブッシュ
１３  扉パッキン
１４  延出片
１５  傾斜面
１６  脱落防止ワッシャ
１７  折曲片
２１  従来技術における箱本体
２２  従来技術における箱本体の開口部周縁
２３  従来技術におけるナット
【図１】
2010109210.tif 000003
【図２】
2010109210.tif 000004
【図３】
2010109210.tif 000005
【図４】
2010109210.tif 000006
【図５】
2010109210.tif 000007
【図６】
2010109210.tif 000008
【図７】
2010109210.tif 000009